(57)【特許請求の範囲】
【請求項１】
複数本のたばこを包装したたばこパッケージを複数個収容可能なマガジンと、
該マガジンを複数個収容可能なラックと、
該ラック内にて、前記マガジンの上下方向に互いに離間してそれぞれ横方向に延び、前記マガジンを複数並べて取り付けるための一対の上及び下パイプと、
前記マガジンの上部及び下部に設けられ、前記一対の上及び下パイプに嵌合させるための上部及び下部取付ユニットとを備え、
前記上部取付ユニットは、前記マガジンの上面から突出し、前記上パイプの上側表面を露出させつつ前記上パイプを前後両側から挟持して互いに内側方向に付勢する一対の前側及び後側挟持片からなり、
該一対の前側及び後側挟持片は、前記上パイプの外周面に沿った湾曲部を有することを特徴とする吊り下げ式たばこ什器。
【請求項２】
前記一対の前側及び後側挟持片を前記上パイプに取り付けた際に前記後側挟持片と当該後側挟持片の後側に位置する前記ラックの内面との間に隙間が形成され、前記マガジンの上部であって前記後側挟持片のさらに後側に前記隙間と略同一長さを有するガイド板が突出して形成されていることを特徴とする請求項１に記載の吊り下げ式たばこ什器。
【請求項３】
前記上及び下パイプは二対備えられ、該二対の上及び下パイプは前記ラック内の前後方向に離間してそれぞれ設けられていることを特徴とする請求項２に記載の吊り下げ式たばこ什器。
【請求項４】
前記マガジンは箱体形状であることを特徴とする請求項１〜３のいずれかに記載の吊り下げ式たばこ什器。
【発明の詳細な説明】
【技術分野】
【０００１】
本発明は、吊り下げ式たばこ什器に関する。より詳しくは、複数のたばこパッケージを重ねて収容するマガジンが吊り下げられた吊り下げ式たばこ什器に関するものである。
【背景技術】
【０００２】
小物商品販売陳列台が特許文献１に開示されている。特許文献１に記載の陳列台は、単函体１を有し、この単函体１はその背面の掛止部１４を枠部材のロッドに上方から引っかけて、吊り下げ式の陳列台に取り付けられる構成である。このため、ここでの取付けには陳列台のロッドよりも掛止部１４を上方に位置させるべく単函体１を持ち上げた後、単函体１を降下させてロッドに掛止部１４を掛止させている。なお、特許文献１とは別に、単函体の上部に上記掛止部を設け、下部はマグネットにて固定する方法も考えられている。
【０００３】
しかしながら、特許文献１の陳列台では、上述したように、単函体１をその掛止部１４が陳列台のロッドよりも高くなるように持ち上げる必要があることから、ロッドが単函体１自体によって隠されてしまうことで、ロッドに対する掛止部１４の位置の把握が容易ではなく、その掛止操作を速やかに行うことができない。特に、吊り下げ式たばこ什器は、場所の有効活用のため、手前と奥にマガジンを配置することが多い。そのため、奥側にマガジンを取り付ける際のような目視できない状況では、特許文献１のような構造ではその取付けはますます困難である。
【先行技術文献】
【特許文献】
【０００４】
【特許文献１】特開２００９−２６１６９１号公報
【発明の概要】
【発明が解決しようとする課題】
【０００５】
本発明は、上記従来技術を考慮したものであって、簡単な構造で、目視できない状況であっても容易且つ迅速にたばこパッケージが収容されたマガジンの着脱操作を行うことができる吊り下げ式たばこ什器を提供することを目的とする。
【課題を解決するための手段】
【０００６】
前記目的を達成するため、本発明では、複数本のたばこを包装したたばこパッケージを複数個収容可能なマガジンと、該マガジンを複数個収容可能なラックと、該ラック内にて、前記マガジンの上下に沿ってそれぞれ横方向に延び、前記マガジンを複数並べて取り付けるための一対の上及び下パイプと、前記マガジンの上部及び下部に設けられ、前記一対の上及び下パイプに嵌合させるための上部及び下部取付ユニットとを備えた吊り下げ式たばこ什器（請求項１）を提供する。
【０００７】
そして、請求項１の前記上部取付ユニットは、前記マガジンの上面から突出し、前記上パイプの上側表面を露出させつつ前記パイプを前後両側から挟持して互いに内側方向に付勢する一対の前側及び後側挟持片からなり、該一対の前側及び後側挟持片は、前記上パイプの外周面に沿った湾曲部を有することを特徴としている。
【０００８】
好ましくは、前記一対の前側及び後側挟持片を前記上パイプに取り付けた際に前記後側挟持片と当該後側挟持片の後側に位置する前記ラックの内面との間に隙間が形成され、前記マガジンの上部であって前記後側挟持片のさらに後側に前記隙間と略同一長さを有するガイド板が突出して形成されていることを特徴としている（請求項２）。
【０００９】
好ましくは、前記上及び下パイプは二対備えられ、これら二対の上及び下パイプは前記ラック内の前後方向に離間してそれぞれ設けられていることを特徴としている（請求項３）。
好ましくは、前記マガジンは箱体形状であることを特徴としている（請求項４）。
【発明の効果】
【００１０】
請求項１の発明によれば、ラック内にマガジンを取り付けるための取付部として上下のパイプが採用され、マガジンはその上下のパイプに上部及び下部で取付ユニットを介して嵌合するため、嵌合させるだけの簡単な操作でマガジンを上下のパイプに取り付けることができる。
【００１１】
更に、請求項１の発明によれば、上部取付ユニットは、マガジンの上面から突出し、上パイプを前後両側から挟持して互いに内側方向に付勢する一対の前側及び後側挟持片からなっているため、マガジンは上パイプに対して下側から一対の挟持片に差し込むような形で嵌合されて固定される。したがって、従来のように一旦マガジンを引っかけるために上方に持ち上げる作業が不要となるので、取付けの際の作業性が向上する。また、上パイプの上側表面は露出して挟持片により挟持されているので、取り外すときはマガジンを下方に引き抜くだけでよい。したがって、上記マガジンの取付性の向上と相俟って、マガジンの着脱操作を容易且つ迅速に行うことができる。また、このように上パイプの上側表面を露出させて着脱容易とする構造は、マガジン内に収容されるものがたばこパッケージのような軽量物であるからこそ成立するものであり、したがって本発明は、たばこパッケージを複数個収容するためのマガジンを収容するラックを備えた什器に特化したものである。また、一対の前側及び後側挟持片は、上パイプの外周面に沿った湾曲部を有するので、上パイプを挟持したときにその嵌合による固定をより確実なものとすることができる。また、上パイプに沿って一対の前側及び後側挟持片を摺動させることができ、したがってマガジンは左右方向に移動でき、特に湾曲部を設けたことによりこの摺動性がさらに高まり、マガジンのラック内での配置が容易となる。
【００１２】
請求項２の発明によれば、一対の前側及び後側挟持片を上パイプに取り付けた際に後側挟持片と後側挟持片の後側に位置するラックの内面との間に隙間が形成され、マガジンの上部であって後側挟持片のさらに後側に隙間と略同一長さを有するガイド板が突出して形成されているため、ガイド板をラック内面に当接させることにより、一対の前側及び後側挟持片は上パイプの略真下に配置することになる。したがって、そのままマガジンを上昇させることで容易に一対の前側及び後側挟持片を上パイプに嵌合することができ、作業性が向上する。特に上パイプが見えない状況においては、ガイド板を利用して嵌合させることができ、好適である。
【００１３】
請求項３の発明によれば、上及び下パイプは二対備えられ、二対の上及び下パイプがラック内の前後方向に離間してそれぞれ設けられているため、ラック内のスペースを有効に活用することができる。特に、上記ガイド板が備わることで、奥側に取り付けるためのマガジンを簡単且つ迅速に取り付けることができ、好適である。
【００１４】
請求項４の発明によれば、マガジンが箱体形状であるため、持ちやすく、嵌合操作もやりやすい形状である。したがって、作業性が向上する。また、たばこパッケージを重ねて収容するのに適した形状である。
【図面の簡単な説明】
【００１５】
【図１】本発明に係る吊り下げ式たばこ什器に収容するマガジンを右側面前方側から見た斜視図である。
【図２】本発明に係る吊り下げ式たばこ什器に収容するマガジンを右側面後方側から見た斜視図である。
【図３】本発明に係る吊り下げ式たばこ什器に収容するマガジンを開いたときの概略斜視図である。
【図４】本発明に係る吊り下げ式たばこ什器に収容するマガジンにたばこパッケージが収容された状態を示す概略図である。
【図５】本発明に係る吊り下げ式たばこ什器の一部概略斜視図である。
【図６】マガジンをラックに取付ける動作を説明するための概略図である。
【図７】マガジンをラックに取付ける動作を説明するための概略図である。
【図８】いわゆる２段ラックの概略側面図である。
【発明を実施するための形態】
【００１６】
図１〜図４を参照すれば明らかなように、マガジン１は、左ケース２と右ケース３とを有している。この左ケース２と右ケース３の背面（後面）には、複数（図では３つ）のヒンジ４が形成されている。このヒンジ４を軸として両ケース２、３はラッチ２１を開いて開閉可能である。最大開き角度はおよそ１８０°である。マガジン１には、複数（図では１３個）のたばこパッケージ５が収容されている。たばこパッケージ５は、上下方向に重ねて収容されている。たばこパッケージ５は、複数本のたばこ（不図示）を包装したものである。たばこパッケージ５は、図３に示すように左ケース２と右ケース３とが開いた状態において充填される。このとき、複数のたばこパッケージ５をまとめて重ねて充填できるので、収容効率がよい。
【００１７】
ここで、図５を参照すると、マガジン１は本発明に係る吊り下げ式たばこ什器６のラック７に備わる上パイプ８及び下パイプ９に取り付けられている。具体的には、パイプ８、９は、ラック内にて、マガジン１の上下方向に互いに離間し、それぞれ横方向に延びている。なお、図示はしないが、ラック７はマガジン１を複数個収容可能である。この場合、パイプ８、９に複数個のマガジン１を取り付ける。ラック７内でのマガジン１の取付けは、マガジン１の上部及び下部に設けられ、パイプ８、９に嵌合させるための上部及び下部取付ユニット１０、１１を用いて行われる。このように、ラック７内にマガジン１を取り付けるための取付部としてパイプ８、９が採用され、マガジン１はこのパイプ８、９に上部及び下部で取付ユニット１０、１１を介して嵌合するため、嵌合させるだけの簡単な操作でマガジン１をパイプ８、９に取り付けることができる。
【００１８】
特に、上部取付ユニット１０は一対の挟持片、詳しくは一対の前側挟持片１２及び後側挟持片１３からなる。これら挟持片１２、１３は、マガジン１の上面から突出している。挟持片１２、１３は、互いに協働して上パイプ８を前後両側から挟み込む。このとき、挟持片１２、１３は互いに内側方向に付勢するので、上パイプ８が挟持されるときは一旦その弾性に抗して挟持片１２、１３が開き、ここに上パイプ８が入り込む。挟持片１２、１３が上パイプ８に取付けられた際、上パイプ８の上側表面は露出している。すなわち、露出領域１４が形成されている。
【００１９】
このように、上部取付ユニット１０は、マガジン１の上面から突出し、上パイプ８を前後両側から挟持し互いに内側方向に付勢された一対の前側及び後側挟持片１２、１３からなっているため、マガジン１は上パイプ８に対して下側から一対の挟持片１２、１３間に差し込むような形で嵌合されて固定される。したがって、従来のように一旦マガジン１を引っかけるために上方に持ち上げる作業が不要となるので、取付けの際の作業性が向上する。また、上パイプ８の上側表面は露出して露出領域１４を形成した状態で挟持片１２、１３により挟持されているので、取り外すときはマガジン１を下方に引き抜くだけでよい。したがって、上記マガジン１の取付性の向上と相俟って、マガジン１の着脱操作を容易且つ迅速に行うことができる。また、このように上パイプ８の上側表面を露出させて露出領域１４を形成し、着脱容易とする構造は、マガジン１内に収容されるものがたばこパッケージ５のような軽量物であるからこそ成立するものであり、したがって本発明は、たばこパッケージ５を複数個収容するためのマガジン１を収容するラック７を備えた什器６に特化したものである。なお、マガジン１の落下を防止するため、露出領域１４を上側から覆うカバー材を上部取付けユニット１０に設けてもよい。
【００２０】
一方で、一対の前側及び後側挟持片１２、１３は、上パイプ８の外周面に沿った湾曲部１５を有する（図４参照）。これにより、上パイプ８を挟持したときにその嵌合による固定をより確実なものとすることができる。また、上パイプ８に沿って一対の挟持片１２、１３を摺動させることができ、したがってマガジン１はラック７に対して左右方向に移動でき、特に湾曲部１５を設けたことによりこの摺動性がさらに高まり、マガジン１のラック７内での配置が容易となる。この左右移動は、例えば銘柄の並べ替え等に用いられたり、マガジン１を見やすい位置に移動させたいときなどに用いられる。
【００２１】
図６及び図７を用いてマガジン１をラック７に取付ける動作を説明する。
まず、図６に示すように、マガジン１の上部後側を上パイプ８と下パイプ９との間に入れ込む。このとき、マガジン１の上部に備わるガイド板１６をラック７の内面に当接させる。これにより、挟持片１２、１３の前後方向の位置が規定される。そして、そのままマガジン１を上方に移動させれば、図７に示すように、挟持片１２、１３間に上パイプ８が入り込み、嵌合される。そして、図７の状態でマガジン１を上パイプ８を支点として奥側（後側）に回転させれば下側取付ユニット１１が下パイプ９に嵌合し、マガジン１は上下のパイプ８、９に固定される。このように、簡単な操作でラック７内にマガジン１を収容することができる。下側取付ユニット１１は後方に向けて開口し、下パイプ９の外周面に沿って湾曲した弾性部材からなっている。下側取付ユニット１１の開口部分を若干開くことにより下パイプ９が入れ込まれ、固定される。上部及び下部取付ユニット１０、１１は、例えば弾性を有する樹脂材料で形成される。
【００２２】
上記動作を実現するために、ガイド板１６が用いられたことは上述したとおりである。このガイド板１６について詳述する。挟持片１２、１３を上パイプ８に取り付けた際に、後側挟持片１３と後側挟持片１３の後側に位置するラック７の内面との間に隙間Ｄが形成されている。ガイド板１６は、この隙間Ｄと略同一長さＥを有し、マガジン１の上部であって後側挟持片１３のさらに後側に突出して形成されている。これにより、ガイド板１６をラック７の内面に当接させることにより、一対の挟持片１２、１３は上パイプ８の略真下に配置することになる（図６の状態）。したがって、そのままマガジン１を上昇させることで容易に一対の挟持片１２、１３を上パイプ８に嵌合することができ（図７の状態）、作業性が向上する。特に上パイプ８が見えない状況においては、ガイド板１６を利用して嵌合させることができ、好適である。なお、マガジン１を取り外す際は、上記と逆の操作をすればよい。すなわち、まず下側取付ユニット１１を前方に回転させ、下パイプ９から外し、マガジン１を下方に引き、上部取付ユニット１０を上パイプ８から外す。このように、着脱操作は非常に簡単である。
【００２３】
図８に示すように、一般に、ラック７はそのスペースを有効に活用するため、マガジン１を前後方向に離間して取付けられるように形成されている。本発明では、一対の上及び下パイプ８、９をラック７内の前後方向に離間してそれぞれ設けている（図では一対のパイプ８、９が２つ設けられている）。いわゆる２段ラックである。このように、一対の上及び下パイプ８、９がラック７内の前後方向に離間してそれぞれ設けられている場合、特に、上述したガイド板１６が備わることで、奥側に取り付けるためのマガジンを簡単且つ迅速に取り付けることができ、好適である。すなわち、２段ラックでは奥側の上パイプ８を目視できない状況が多いが、このような場合でもガイド板１６を用いることで確実にマガジン１を取付けることができる。
【００２４】
また、マガジン１は箱体形状である。このため、持ちやすく、嵌合操作もやりやすい形状である。特に図８のような２段ラックの奥側にマガジン１を取付けるときに大変有効である。したがって、作業性が向上する。また、たばこパッケージ５を重ねて収容するのに適した形状である。
【００２５】
なお、マガジン１に収容されたたばこパッケージ５の取り出しは、図４を参照すれば明らかなように、最下部に位置したものから１個ずつ取り出すことができる。すなわち、マガジン１の下部前方には、たばこパッケージ５を取り出すための開口部１７が形成されている。このとき、誤ってたばこパッケージ５が落下しないように、開口部１７の一部を塞ぐように押さえ部材１８がマガジン１に形成されている。この押さえ部材１８は、例えば図に示すような棒形状であり、回転軸１９を中心に回転可能である。押さえ部材１８は、コイルスプリング等（不図示）で開口部１７を塞ぐ方向に付勢されている。したがって、たばこパッケージ５をマガジン１から取り出す際は、たばこパッケージ５の開口部１７側をつまんで押さえ部材１８に抗して引き出せばよい。最下部のたばこパッケージ５は、マガジン１の内面に前方に向けて傾斜して形成された押し出し壁２０により開口部１７にてつまみやすいように若干前方（手前）側に押し出される。
【００２６】
マガジン１を透明材料で形成してもよい。このように透明材料で形成すれば、マガジン１の中に収容されたたばこパッケージ５の銘柄や残個数を容易に把握できる。
【符号の説明】
【００２７】
１  マガジン
２  左ケース
３  右ケース
４  ヒンジ
５  たばこパッケージ
６  什器
７  ラック
８  上パイプ
９  下パイプ
１０  上部取付ユニット
１１  下部取付ユニット
１２  前側挟持片
１３  後側挟持片
１４  露出領域
１５  湾曲部
１６  ガイド板
１７  開口部
１８  押さえ部材
１９  回転軸
２０  押し出し壁
２１  ラッチ
【図１】
0005690612.tif 000002
【図２】
0005690612.tif 000003
【図３】
0005690612.tif 000004
【図４】
0005690612.tif 000005
【図５】
0005690612.tif 000006
【図６】
0005690612.tif 000007
【図７】
0005690612.tif 000008
【図８】
0005690612.tif 000009